(57)【要約】  携帯装置の呼出音などのオーディオファイルをカスタマイズするための方法及び装置に関して説明する。特に、本発明による携帯装置１０はオーディオユーティリティ２６及びオーディオプロセッサ２４を含む。オーディオユーティリティ２６は保存されているオーディオファイルと関連付けられた１つ以上のポインタを保存する。各ポインタはそれぞれオーディオファイルの特定のユーザ指定開始位置を識別する。オーディオプロセッサ２４が音声を再生する際、ユーザ指定のポインタのうちの１つのポインタで識別される開始位置から再生を行う。
2009514271.tif 000002
【特許請求の範囲】
【請求項１】
携帯装置（１０）のオーディオファイルをカスタマイズするための方法であって、
前記オーディオファイルの、ユーザ指定の１つ以上の開始位置に対応する１つ以上のポインタのセットを記憶する記憶ステップと、
前記携帯装置（１０）が前記オーディオファイルを再生する都度、前記記憶されたポインタのうちの１つのポインタによって識別される開始位置から前記オーディオファイルを再生する再生ステップと、
を有することを特徴とする方法。
【請求項２】
前記ポインタのセットから１つのポインタを現在のポインタとして選択する選択ステップを更に有し、
前記再生ステップは、前記現在のポインタによって識別される開始位置から前記オーディオファイルを再生することを特徴とする請求項１に記載の方法。
【請求項３】
前記選択ステップは、前記携帯装置（１０）が前記オーディオファイルを再生する都度、前記ポインタのセットから現在のポインタをランダムに選択することを特徴とする請求項２に記載の方法。
【請求項４】
ユーザ指定の順序に従って前記ポインタのセットのうちの１つ以上のポインタを組織するステップを更に有し、
前記選択ステップは、前記携帯装置（１０）が前記オーディオファイルを再生する都度、前記ユーザ指定の順序に基づいて、異なるポインタを現在のポインタとして選択する
ことを特徴とする請求項２に記載の方法。
【請求項５】
前記選択ステップは、ユーザ入力に応じて前記ポインタのセットから現在のポインタを選択することを特徴とする請求項２の方法。
【請求項６】
前記選択ステップは、前記携帯装置（１０）のメモリ（１６）に記憶されたアクセス先に前記ポインタのセットのうちの１つのポインタを割り当てることを特徴とする請求項５に記載の方法。
【請求項７】
前記ポインタのセットの各ポインタは携帯装置動作モードに対応しており、前記選択ステップは、現在の携帯装置動作モードに基づいて前記ポインタのセットから現在のポインタを選択することを特徴とする請求項２に記載の方法。
【請求項８】
前記携帯装置動作モードは、電話モード、電子メールモード、音声メールモード、アラームモード、文字メッセージモードのうちの１つであることを特徴とする請求項７に記載の方法。
【請求項９】
ポインタ選択モードに入るステップと、
前記ポインタ識別モードの間に前記オーディオファイルの実体部分を再生するステップと、
前記ポインタ識別モードの間に前記オーディオファイルを再生中、ユーザ入力に従い１つ以上の時刻マーカを生成するステップと、
前記１つ以上の時刻マーカに基づいて前記ポインタのセットを生成するステップと、
を更に有することを特徴とする請求項１に記載の方法。
【請求項１０】
前記記憶ステップは、１つ以上のオーディオファイルのそれぞれに対する１つ以上のポインタのセットを記憶することを特徴とする請求項１に記載の方法。
【請求項１１】
前記オーディオファイルはMP3ファイルであることを特徴とする請求項１に記載の方法。
【請求項１２】
前記オーディオファイルは呼出音であることを特徴とする請求項１に記載の方法。
【請求項１３】
前記携帯装置（１０）は無線通信装置（１０）であることを特徴とする請求項１に記載の方法。
【請求項１４】
携帯装置（１０）であって、
オーディオファイルを記憶するメモリ（１６）と、
マルチメディアプロセッサ（２２）とを備え、
前記マルチメディアプロセッサ（２２）は、
前記オーディオファイルのユーザ指定の１つ以上の開始位置に対応する１つ以上のポインタのセットを記憶するオーディオユーティリティ（２６）と、
前記携帯装置が前記オーディオファイルを再生する都度、前記記憶されたポインタのうちの１つのポインタによって識別される開始位置から前記オーディオファイルを再生するオーディオプロセッサ（２４）と、
を含むことを特徴とする携帯装置（１０）。
【請求項１５】
前記オーディオユーティリティ（２６）は更に、前記ポインタのセットから現在のポインタを選択し、前記オーディオプロセッサ（２４）は、前記現在のポインタによって識別される開始位置から前記オーディオファイルを再生することを特徴とする請求項１４に記載の携帯装置（１０）。
【請求項１６】
前記オーディオユーティリティ（２６）は、前記オーディオプロセッサ（２４）が前記オーディオファイルを再生する都度、前記ポインタのセットから現在のポインタをランダムに選択することを特徴とする請求項１５に記載の携帯装置（１０）。
【請求項１７】
前記オーディオユーティリティ（２６）は、ユーザ指定の順序に従って前記ポインタのセットにおける１つ以上のポインタを組織するように構成され、前記オーディオユーティリティ（２６）は、前記オーディオプロセッサ（２４）が前記オーディオファイルを再生する都度、前記ユーザ指定の順序に基づいて現在のポインタを選択することを特徴とする請求項１５に記載の携帯装置（１０）。
【請求項１８】
前記オーディオユーティリティ（２６）は、ユーザ入力に基づいて前記ポインタのセットから現在のポインタを選択することを特徴とする請求項１５に記載の携帯装置（１０）。
【請求項１９】
前記ポインタのセットの各ポインタは携帯装置動作モードに対応しており、前記オーディオユーティリティ（２６）は、現在の携帯装置動作モードに基づいて現在のポインタを選択することを特徴とする請求項１５に記載の携帯装置（１０）。
【請求項２０】
前記携帯装置動作モードは、電話モード、電子メールモード、音声メールモード、アラームモード、文字メッセージモードのうちの１つであることを特徴とする請求項１９に記載の携帯装置（１０）。
【請求項２１】
前記オーディオプロセッサ（２４）は、ポインタ識別モードの間に、前記オーディオファイルの実体部分を再生し、
前記オーディオユーティリティ（２６）は、
前記ポインタ識別モードにおいて前記オーディオプロセッサ（２４）が前記オーディオファイルを再生中、ユーザ入力に応じて１つ以上の時刻マーカを生成し、
前記１つ以上の時刻マーカに基づいて前記ポインタのセットを生成する、
ことを特徴とする請求項１４に記載の携帯装置（１０）。
【請求項２２】
前記メモリ（１６）は複数のオーディオファイルを記憶し、前記オーディオユーティリティ（２６）は各オーディオファイルに対して１つ以上のポインタのセットを記憶することを特徴とする請求項１４に記載の携帯装置（１０）。
【請求項２３】
前記オーディオファイルはMP3ファイルであることを特徴とする請求項１４に記載の携帯装置（１０）。
【請求項２４】
前記オーディオファイルは呼出音であることを特徴とする請求項１４に記載の携帯装置（１０）。
【請求項２５】
前記携帯装置（１０）は無線通信装置（１０）であることを特徴とする請求項１４に記載の携帯装置（１０）。
【請求項２６】
携帯装置（１０）のオーディオファイルをカスタマイズする方法であって、
ポインタ識別モードにおいて前記オーディオファイルの実体部分を再生するステップと、
前記ポインタ識別モードにおいて前記オーディオファイルの再生中に受信したユーザ入力に応じて、前記オーディオファイルの異なる開始位置に対応する１つ以上の時刻マーカを生成するステップと、
前記１つ以上の時刻マーカに基づいて１つ以上のポインタのセットを生成するステップと、
を有することを特徴とする方法。
【請求項２７】
前記ポインタ識別モードを終了するステップと、
前記オーディオプロセッサ（２４）が前記オーディオファイルを再生する都度、前記ポインタのセットから１つのポインタによって識別される開始位置から前記オーディオファイルを再生するステップと、
を更に有することを特徴とする請求項２６に記載の方法。
【請求項２８】
前記ポインタのセットから１つのポインタを現在のポインタとして選択するステップを更に有し、前記オーディオファイルを再生するステップは、前記現在のポインタによって識別される開始位置から前記オーディオファイルを再生することを特徴とする請求項２７に記載の方法。
【請求項２９】
ユーザ入力に応じて前記生成されたポインタのセットを編集するステップを更に有することを特徴とする請求項２６に記載の方法。
【請求項３０】
前記オーディオファイルは呼出音であることを特徴とする請求項２６に記載の方法。
【請求項３１】
前記携帯装置（１０）は無線通信装置（１０）であることを特徴とする請求項２６に記載の方法。
【請求項３２】
オーディオファイルを記憶するメモリ（１６）と、
マルチメディアプロセッサ（２２）と、
を備え、
前記マルチメディアプロセッサ（２２）は、
ポインタ識別モードにおいて前記オーディオファイルの実体部分を再生するオーディオプロセッサ（２４）と、
前記オーディオプロセッサ（２４）がポインタ識別モードにおいて前記オーディオファイルを再生中に受信したユーザ入力に応じて、前記オーディオファイルの異なる開始位置に対応する１つ以上の時刻マーカを生成し、前記時刻マーカに基づいて１つ以上のポインタのセットを生成するオーディオユーティリティ（２６）と、
を含むことを特徴とする携帯装置（１０）。
【請求項３３】
前記ポインタ識別モードを終了した後、前記オーディオプロセッサ（２４）は更に、前記オーディオファイルを再生する都度、ポインタのセットからの１つのポインタによって識別される開始位置から再生を行うことを特徴とする請求項３２に記載の携帯装置（１０）。
【請求項３４】
前記オーディオユーティリティ（２６）は更に、前記ポインタのセットから１つのポインタを現在のポインタとして選択し、前記オーディオプロセッサ（２４）は、前記現在のポインタによって識別される開始位置から前記オーディオファイルを再生することを特徴とする請求項３３に記載の携帯装置（１０）。
【請求項３５】
前記オーディオユーティリティ（２６）は更に、ユーザ入力に応じて前記生成されたポインタのセットを編集することを特徴とする請求項３２に記載の携帯装置（１０）。
【請求項３６】
前記オーディオファイルは呼出音であることを特徴とする請求項３２に記載の携帯装置（１０）。
【請求項３７】
前記携帯装置（１０）は無線通信装置（１０）であることを特徴とする請求項３２に記載の携帯装置（１０）。
【請求項３８】
無線通信信号を送受信する送受信機（１２）と、
呼出音を記憶するメモリ（１６）と、
マルチメディアプロセッサ（２２）と、を備え、
前記マルチメディアプロセッサ（２２）は、
前記呼出音のユーザ指定の１つ以上の開始位置に対応する１つ以上のポインタのセットを記憶するオーディオユーティリティ（２６）と、
前記送受信機（１２）で受信した着信通知信号に応答して、前記記憶されたポインタのうちの１つのポインタによって識別される開始位置から前記呼出音を再生するオーディオプロセッサ（２４）と、
を含むことを特徴とする無線通信装置（１０）。
【請求項３９】
前記オーディオプロセッサ（２４）は、ポインタ識別モードにおいて前記呼出音の実体部分を再生し、
前記オーディオユーティリティ（２６）は、
前記オーディオプロセッサ（２４）が前記ポインタ識別モードにおいて前記呼出音の再生中に受信したユーザ入力に応じて、１つ以上の時刻マーカを生成し、
前記１つ以上の時刻マーカに基づいて前記ポインタのセットを生成する、
ことを特徴とする請求項３８に記載の無線通信装置（１０）。
【発明の詳細な説明】
【技術分野】
【０００１】
本発明は携帯装置のオーディオファイルに関するものであり、特に、無線通信装置の呼出音（ring tone）のカスタマイズに関する。
【背景技術】
【０００２】
近年、ユーザが音楽を聴いたり、ビデオクリップを観たり、呼出音を設定できるなどのマルチメディア機能を備えた携帯装置が増えている。呼出音によりユーザは、携帯装置、たとえば無線通信装置、において、着信やメッセージの受信などを知らせる通知システムをカスタマイズすることができる。例えば、無線通信装置はユーザ指定の呼出音を再生することによって着信を知らせる。
【０００３】
従来のマルチメディア装置は呼出音に関するオプションを増やしているが、従来の呼出音はまだ幾つかの欠点を持っている。例えば、呼出音が入ると、その呼出音に関連付けられて記憶された呼出音ファイルの再生が先頭から行われる。よって、呼出音が再生される都度、ユーザはその呼出音の同じ部分、一般的には曲の先頭部分、を聞くことになる。現在のところ、外部コンピュータで呼出音ファイルの先頭部分を削除し、希望の開始位置が先頭部分になるよう修正することが再生開始位置を変える唯一の方法である。このように修正されたファイルを無線通信装置に保存すると、ユーザが希望する開始位置から呼出音を再生することが出来る。しかし、もう一度開始位置を変えたい場合は、同じ面倒なプロセスを経なければならない。
【発明の開示】
【０００４】
本発明は、携帯装置の呼出音などのオーディオファイルをカスタマイズするための方法及び装置を提供する。特に、本発明による携帯装置はオーディオユーティリティ及びオーディオプロセッサを含む。オーディオユーティリティは、保存されたオーディオファイルに対して１つ以上のポインタのセットを生成し保存する。各ポインタはオーディオファイルにおけるユーザ指定の再生開始位置を識別する。オーディオプロセッサがオーディオファイルを再生する際には、ユーザ指定のポインタのうちの１つポインタで識別される開始位置から再生が開始される。
【０００５】
一実施形態において、オーディオユーティリティはポインタ識別モードにおいてポインタのセットを生成する。ポインタ識別モードにおいて、オーディオプロセッサはオーディオファイルの実体部分を再生する。オーディオプロセッサがオーディオファイルを再生する間、オーディオユーティリティはユーザ入力に従って１つ以上の時刻マーカ（time marker）を生成する。各時刻マーカはオーディオファイルの先頭部を基準とした異なる開始位置に対応する。オーディオユーティリティは１つ以上の時刻マーカに基づいてポインタのセットを生成する。
【発明を実施するための最良の形態】
【０００６】
図１は、本発明の実施形態による携帯装置を示すブロック図である。本発明によれば、携帯装置１０はいかなる公知のポータブル・マルチメディア電子装置でもよい。かかる装置には、ポータブルミュージックプレーヤをはじめ、携帯電話、ページャ、携帯情報端末（PDA）などの無線通信装置が含まれるが、これらに限らない。
【０００７】
携帯装置１０はメモリ１６、コントローラ２０、ユーザインタフェース３０を含む。コントローラ２０はメモリ１６に記憶されたプログラムに従って携帯装置１０の全体的な操作を制御する。制御機能は単一のプロセッサまたはマルチプロセッサで実行され得る。好適なプロセッサには、汎用マイクロプロセッサ、マイクロコントローラ、ディジタル信号プロセッサ、ハードウェア、ファームウェア、またはこれらの組合せが含まれる。メモリ１６は携帯装置１０の全ての階層のメモリを表し、ランダム・アクセス・メモリ(RAM)、リード・オンリー・メモリ（ROM）の両方を含み得る。操作に必要なコンピュータプログラムやデータはEPROM, EEPROMなどの不揮発性メモリ及び／又はフラッシュメモリなどに保存される。これらデバイスはディスクリート・デバイス、スタックト・デバイスとして実現できるし、あるいは、１又は２以上のプロセッサに集積化されてもよい。
【０００８】
ユーザインタフェース３０はユーザが携帯装置１０を操作することを可能にするもので、表示部３２、１つ以上の入力装置３４、スピーカ３６、マイクロホン３８を含む。表示部３２は、ユーザにメニューや他の情報を表示する液晶ディスプレイ（LCD）で構成され得る。入力装置３４は、ユーザがデータやコマンドを入力できるキーパッド、タッチパッド、ジョイスティック、スクロール・ホイール、ボタンなどあらゆる公知のコンピュータ入力デバイスで構成できる。音声認識システムやタッチスクリーンなどもユーザによる入力デバイスとして使用可能である。スピーカ３６は、アナログ音響信号をユーザに聞こえる可聴信号に変換する。マイクロホン３８は、検出した音声や他の可聴信号を電気音響信号に変換し、コントローラ２０に入力できるようにする。
【０００９】
携帯装置１０が無線通信装置である場合、携帯装置１０は更に送受信機１２とアンテナ１４を含む。送受信機１２はアンテナ１４を介して信号を送受信する。送受信機１２はフル機能の無線送受信機であり、GSM, TIA/EIA-136, cdmaOne, cdma2000, UMTS, Wideband CDMAなどを含むあらゆる公知の無線通信標準規格に従って動作し得る。
【００１０】
本発明によれば、携帯装置１０はさまざまな携帯装置イベントに応じてオーディオファイルを再生する。そのためにコントローラ２０はオーディオプロセッサ２４を含むマルチメディアプロセッサ２２を備えている。オーディオプロセッサ２４は１つ以上の異なる携帯装置イベントに応じてオーディオファイルを再生する。例えば、オーディオプロセッサ２４はアラームに反応して、メモリに格納されているオーディオファイルを再生し、ユーザにアラームを知らせることができる。また、オーディオプロセッサ２４は、無線通信イベントに反応して、呼出音などのオーディオファイルを再生して、着呼、文字メッセージ、電子メールメッセージ、音声メールなどをユーザに知らせることもできる。従来のオーディオプロセッサ２４は保存されたオーディオファイルの先頭からオーディオファイルの再生を行う。
【００１１】
本発明のマルチメディアプロセッサは、保存されたオーディオファイルをカスタマイズするためのオーディオユーティリティ２６を備えている。オーディオユーティリティ２６は、ユーザ入力に応じて、メモリ１６に記憶されたオーディオファイルに対する１つ以上のポインタのセットを生成し記憶する。本発明によれば、オーディオプロセッサ２４は保存されたオーディオファイルを再生する都度、ポインタのセットのうちの１つのポインタによって識別される開始位置からオーディオファイルの再生を行う。
【００１２】
図２は、オーディオユーティリティ２６を用いて１つ以上のポインタのセットを生成する処理の一例を示している。携帯装置１０がポインタ識別モードに入ると（ブロック２１０）、ユーザはメモリ１６に記憶されたオーディオファイルの１つを選択する（ブロック２２０）。ユーザは、入力装置３４のうちのいずれかを用いて入力を行い、及び／又は、マイクロホン３８を介して音声コマンドの入力を行うことができる。次に、オーディオプロセッサ２４はオーディオファイルの実体部分を再生する。好ましくは、保存されたオーディオファイルの先頭部から再生する（ブロック２３０）。ユーザが入力する都度（ブロック２４０）、オーディオユーティリティ２６は先頭部を基準として入力がなされた時刻をマークする（ブロック２５０）。図３に示す例において、ユーザはt1, t2, t3, t4の時点で入力をしている。オーディオファイルが終わると（ブロック２６０）、オーディオユーティリティ２６は、生成した時刻マーカに基づいてP={P1, P2, P3, P4}のポインタのセットを生成し（ブロック２７０）、オーディオユーティリティ２６にこの生成したポインタのセットを保存する。ユーザは他のオーディオファイルに対しても、２２０−２７０の処理を繰り返し、別のポインタのセットを生成することもできる（ブロック２８０）。ユーザによる入力が終わると、携帯装置１０はポインタ識別モードを終了する（ブロック２９０）。上記の例はオーディオユーティリティをプログラムすることを説明しているが、同じ処理により既存のポインタを編集するようにしてもよい。
【００１３】
ユーザがポインタのセットで少なくとも１つのオーディオファイルに対しオーディオユーティリティ２６をプログラムすると、携帯装置１０は、オーディオプロセッサ２４がオーディオファイルを再生する都度、図４に示す処理を実行する。図３に示したように、オーディオプロセッサ２４がオーディオファイルを再生できる状態になると（ブロック３１０）、オーディオプロセッサ２４は、選択されたポインタによって識別される開始位置から、選択されたオーディオファイルを再生する（ブロック３２０，３３０）。図４には積極的にポインタを選択する特定のステップ（ブロック３２０）が示されているが、本発明では特別な選択処理（ブロック３２０）が必ずしも必要なわけではない。例えば、ポインタのセットが１つのポインタだけしか含んでいない場合は選択処理は必要ではない。
【００１４】
特定のポインタ選択処理を含む場合は、オーディオユーティリティ２６はポインタ識別モード中に選択されたポインタ選択処理を実行し得る。例えば、図５に示すように、オーディオユーティリティ２６はユーザに対してポインタ選択処理４００を選ぶことを指示し得る。ポインタのセットがｎ個のポインタを含み、ｎ＞１である場合（ブロック４１０）は、オーディオユーティリティ２６はユーザに対して選択処理を選ぶように指示する。ユーザがランダム選択処理を選ぶと（ブロック４２０）、オーディオユーティリティ２６はポインタのセットにランダム選択処理を適用する（ブロック４３０）。そうすると、オーディオプロセッサ２４がオーディオファイルを再生する都度、オーディオプロセッサ２４はランダムに選択されたポインタで識別される開始位置からオーディオファイルを再生する。
【００１５】
ユーザがランダム選択処理を選ばず（ブロック４２０）、ユーザ指定選択処理を選んだ場合（ブロック４４０）は、オーディオユーティリティ２６はユーザに対して入力を要求する（ブロック４６０）。このユーザの入力に従って、オーディオユーティリティ２６はユーザが指定したポインタ選択処理をポインタのセットに適用する（ブロック４７０）。実施形態では、ポインタのセットのうちの１つのポインタを初期ポインタ（primary pointer）として識別する。オーディオユーティリティ２６が生成されたポインタのセットにこの選択処理を適用すると、オーディオプロセッサ２４がオーディオファイルを再生する都度、オーディオプロセッサ２４はユーザ指定の初期ポインタによって識別される開始位置からオーディオファイルを再生する。
【００１６】
別の実施形態によれば、ユーザ入力によってポインタのセットに優先順位が割り当てられる。例えば、ユーザは図３に示したポインタを、例えば、P2, P1, P4, P3、のようにランクづけすることができる。この実施形態では、初めてオーディオファイルを再生する場合、オーディオプロセッサ２４は第２ポインタ（P2）によって識別される開始位置からオーディオファイルの再生を行う。次に再生する場合は、オーディオプロセッサ２４は第１、第４、第３ポインタの順で、それぞれによって識別される開始位置から順番に再生を行う。５回目にオーディオファイルを再生する場合は、開始位置は第２ポインタで識別される位置に戻る。
【００１７】
また、別の実施形態によれば、ユーザは異なるポインタをそれぞれ、電話モード、電子メールモード、文字メッセージモード、音声メールモード、アラーム時計モード等の異なる動作モードに割り当てることができる。例えば、第１ポインタ（P1）を電話モード、第２ポインタ（P2）を電子メールモード、第３ポインタ（P3）を文字メッセージモード、第４ポインタ（P4）をアラーム時計モードに割り当てることができる。その結果、携帯装置１０が着信通知を受信したときは、オーディオプロセッサ２４はオーディオファイルのP1によって識別される開始位置から再生し、着信を知らせる。同様に、オーディオプロセッサ２４はP2, P3, P4の開始位置でそれぞれ、電子メールの受信、文字メッセージの受信、アラームなどに対応させて再生し、ユーザに知らせる。
【００１８】
更に別の実施形態によれば、ユーザは異なるポインタをそれぞれ異なる連絡先に指定することができる。例えば、P1を“Sally”に指定し、P2を母に指定するなどができる。携帯装置１０に“Sally”からの電話があった場合、オーディオプロセッサ２４はP1によって識別される開始位置からオーディオファイルを再生し、“Sally”からの着信を知らせる。
【００１９】
ユーザがユーザ指定選択処理を選ばない場合（ブロック２７４）、オーディオユーティリティ２６はデフォルトの選択処理を割り当てる（ブロック２７５）。例えば、オーディオユーティリティ２６は、オーディオプロセッサ２４が選択されたオーディオファイルを再生する都度、ポインタのセットのうちの第１ポインタを、オーディオプロセッサ２４が用いる初期ポインタとして自動的に識別する。
【００２０】
上記の記載は、オーディオファイルをユーザ指定のポインタで識別される開始位置から再生することを説明している。ここには記載していないが、オーディオプロセッサ２４はさまざまな公知の処理を用いてオーディオファイルを選択できることは当業者には明らかである。例えば、異なるオーディオファイルをそれぞれ異なる動作モードに割り当てることもできる。あるいは、オーディオプロセッサ２４がオーディオファイルを再生する際、ランダムにオーディオファイルを選択するランダムモードを選択することもできる。
【００２１】
上記のカスタマイズ処理と装置は従来技術に対して様々な利点がある。まず、上記のカスタマイズ処理を適用することによって、特定のオーディオファイルに対し異なる再生開始位置を識別するポインタのセットを生成、編集できる。その結果、従来の携帯装置では不可欠であった面倒なオーディオファイル編集処理は必要でなくなる。更に、上記の処理を使うことによって、１つのオーディオファイルに対し複数の再生開始位置を識別することが出来る。従来の技術では、再生開始位置ごとに１つのオーディオファイルが必要となるため、本発明は大幅のメモリの節約に繋がる。
【００２２】
本発明は、その本質的特徴を逸脱しない範囲でここに開示した特定の実施形態とは異なる方法で実施可能であることは言うまでもない。上述の実施形態は、本発明を説明する例であり限定的なものと理解すべきではなく、特許請求の範囲の主旨及び均等の範囲内でのあらゆる改変は本発明の範囲に含まれる。
【図面の簡単な説明】
【００２３】
【図１】本発明の実施形態に係る携帯装置を示すブロック図。
【図２】本発明の実施形態に係る設定処理を示すフローチャート。
【図３】オーディオファイルの時間関係の一例を示す図。
【図４】本発明の実施形態による再生処理の一例を示すフローチャート。
【図５】本発明の実施形態によるポインタ選択処理の一例を示すフローチャート。
【図１】
2009514271.tif 000003
【図２】
2009514271.tif 000004
【図３】
2009514271.tif 000005
【図４】
2009514271.tif 000006
【図５】
2009514271.tif 000007
【手続補正書】
【提出日】平成19年2月1日(2007.2.1)
【手続補正１】
【補正対象書類名】特許請求の範囲
【補正対象項目名】全文
【補正方法】変更
【補正の内容】
【特許請求の範囲】
【請求項１】
携帯装置（１０）のオーディオファイルをカスタマイズするための方法であって、
前記オーディオファイルの、ユーザ指定の１つ以上の開始位置に対応する１つ以上のポインタのセットを記憶する記憶ステップと、
前記ポインタのセットから１つのポインタを現在のポインタとして選択する選択ステップと、
前記携帯装置（１０）が前記オーディオファイルを再生する都度、前記現在のポインタによって識別される開始位置から前記オーディオファイルを再生する再生ステップと、
を有し、
前記選択ステップは、
前記携帯装置（１０）が前記オーディオファイルを再生する都度、１つのポインタをランダムに選択するステップと、
前記携帯装置（１０）が前記オーディオファイルを再生する都度、ユーザ指定の順序に基づいて、異なるポインタを現在のポインタとして選択するステップと、
現在の携帯装置動作モードに基づいて、前記ポインタのセットから現在のポインタを選択するステップと、
のいずれか１つを有する
ことを特徴とする方法。
【請求項２】
前記ユーザ指定の順序に従って前記ポインタのセットのうちの１つ以上のポインタを組織するステップを更に有することを特徴とする請求項１に記載の方法。
【請求項３】
前記ポインタのセットの各ポインタは携帯装置動作モードに対応していることを特徴とする請求項１に記載の方法。
【請求項４】
前記携帯装置動作モードは、電話モード、電子メールモード、音声メールモード、アラームモード、文字メッセージモードのうちの１つであることを特徴とする請求項３に記載の方法。
【請求項５】
ポインタ選択モードに入るステップと、
前記ポインタ識別モードの間に前記オーディオファイルの実体部分を再生するステップと、
前記ポインタ識別モードの間に前記オーディオファイルを再生中、ユーザ入力に従い１つ以上の時刻マーカを生成するステップと、
前記１つ以上の時刻マーカに基づいて前記ポインタのセットを生成するステップと、
を更に有することを特徴とする請求項１に記載の方法。
【請求項６】
前記記憶ステップは、１つ以上のオーディオファイルのそれぞれに対する１つ以上のポインタのセットを記憶することを特徴とする請求項１に記載の方法。
【請求項７】
前記オーディオファイルはMP3ファイルであることを特徴とする請求項１に記載の方法。
【請求項８】
前記オーディオファイルは呼出音であることを特徴とする請求項１に記載の方法。
【請求項９】
前記携帯装置（１０）は無線通信装置（１０）であることを特徴とする請求項１に記載の方法。
【請求項１０】
携帯装置（１０）であって、
オーディオファイルを記憶するメモリ（１６）と、
マルチメディアプロセッサ（２２）とを備え、
前記マルチメディアプロセッサ（２２）は、
前記オーディオファイルのユーザ指定の１つ以上の開始位置に対応する１つ以上のポインタのセットを記憶する手段と、
前記ポインタのセットから現在のポインタを選択する手段と、
を有するオーディオユーティリティ（２６）と、
前記携帯装置が前記オーディオファイルを再生する都度、前記記憶されたポインタのうちの１つのポインタによって識別される開始位置から前記オーディオファイルを再生するオーディオプロセッサ（２４）と、
を含み、
前記オーディオユーティリティ（２６）は、
前記ポインタのセットからの現在のポインタのランダムな選択と、
ユーザ指定の順序と、
前記携帯装置の現在の動作モードと、
のいずれか１つに基づいて、現在のポインタを選択する
ことを特徴とする携帯装置（１０）。
【請求項１１】
前記オーディオユーティリティ（２６）は、ユーザ指定の順序に従って前記ポインタのセットにおける１つ以上のポインタを組織するように構成されていることを特徴とする請求項１０に記載の携帯装置（１０）。
【請求項１２】
前記ポインタのセットの各ポインタは携帯装置動作モードに対応していることを特徴とする請求項１０に記載の携帯装置（１０）。
【請求項１３】
前記携帯装置動作モードは、電話モード、電子メールモード、音声メールモード、アラームモード、文字メッセージモードのうちの１つであることを特徴とする請求項１２に記載の携帯装置（１０）。
【請求項１４】
前記オーディオプロセッサ（２４）は、ポインタ識別モードの間に、前記オーディオファイルの実体部分を再生し、
前記オーディオユーティリティ（２６）は、
前記ポインタ識別モードにおいて前記オーディオプロセッサ（２４）が前記オーディオファイルを再生中、ユーザ入力に応じて１つ以上の時刻マーカを生成し、
前記１つ以上の時刻マーカに基づいて前記ポインタのセットを生成する、
ことを特徴とする請求項１０に記載の携帯装置（１０）。
【請求項１５】
前記メモリ（１６）は複数のオーディオファイルを記憶し、前記オーディオユーティリティ（２６）は各オーディオファイルに対して１つ以上のポインタのセットを記憶することを特徴とする請求項１０に記載の携帯装置（１０）。
【請求項１６】
前記オーディオファイルはMP3ファイルであることを特徴とする請求項１０に記載の携帯装置（１０）。
【請求項１７】
前記オーディオファイルは呼出音であることを特徴とする請求項１０に記載の携帯装置（１０）。
【請求項１８】
前記携帯装置（１０）は無線通信装置（１０）であることを特徴とする請求項１０に記載の携帯装置（１０）。
【請求項１９】
携帯装置（１０）のオーディオファイルをカスタマイズする方法であって、
ポインタ識別モードにおいて前記オーディオファイルの実体部分を再生するステップと、
前記ポインタ識別モードにおいて前記オーディオファイルの再生中に受信したユーザ入力に応じて、前記オーディオファイルの異なる開始位置に対応する１つ以上の時刻マーカを生成するステップと、
前記１つ以上の時刻マーカに基づいて１つ以上のポインタのセットを生成するステップと、
前記ポインタ識別モードを終了するステップと、
現在のポインタとして１つのポインタを前記ポインタのセットからランダムに選択するステップと、
前記オーディオプロセッサ（２４）が前記オーディオファイルを再生する都度、前記現在のポインタによって識別される開始位置から前記オーディオファイルを再生するステップと、
を有することを特徴とする方法。
【請求項２０】
ユーザ入力に応じて前記生成されたポインタのセットを編集するステップを更に有することを特徴とする請求項１９に記載の方法。
【請求項２１】
前記オーディオファイルは呼出音であることを特徴とする請求項１９に記載の方法。
【請求項２２】
前記携帯装置（１０）は無線通信装置（１０）であることを特徴とする請求項１９に記載の方法。
【請求項２３】
オーディオファイルを記憶するメモリ（１６）と、
マルチメディアプロセッサ（２２）と、
を備え、
前記マルチメディアプロセッサ（２２）は、
ポインタ識別モードにおいて前記オーディオファイルの実体部分を再生するオーディオプロセッサ（２４）と、
前記オーディオプロセッサ（２４）がポインタ識別モードにおいて前記オーディオファイルを再生中に受信したユーザ入力に応じて、前記オーディオファイルの異なる開始位置に対応する１つ以上の時刻マーカを生成し、前記時刻マーカに基づいて１つ以上のポインタのセットを生成するオーディオユーティリティ（２６）と、
を含み、
前記ポインタ識別モードが終了した後、前記オーディオプロセッサ（２４）は、
現在のポインタとして１つのポインタを前記ポインタのセットからランダムに選択し、
前記オーディオプロセッサ（２４）が前記オーディオファイルを再生する都度、現在のポインタから前記オーディオファイルを再生する
ことを特徴とする携帯装置（１０）。
【請求項２４】
前記オーディオユーティリティ（２６）は更に、ユーザ入力に応じて前記生成されたポインタのセットを編集することを特徴とする請求項２３に記載の携帯装置（１０）。
【請求項２５】
前記オーディオファイルは呼出音であることを特徴とする請求項２３に記載の携帯装置（１０）。
【請求項２６】
前記携帯装置（１０）は無線通信装置（１０）であることを特徴とする請求項２３に記載の携帯装置（１０）。
【手続補正書】
【提出日】平成20年5月28日(2008.5.28)
【手続補正１】
【補正対象書類名】特許請求の範囲
【補正対象項目名】全文
【補正方法】変更
【補正の内容】
【特許請求の範囲】
【請求項１】
携帯装置（１０）のオーディオファイルをカスタマイズするための方法であって、
前記オーディオファイルの、ユーザ指定の１つ以上の開始位置に対応する１つ以上のポインタのセットを記憶する記憶ステップと、
前記ポインタのセットから１つのポインタを現在のポインタとして選択する選択ステップと、
前記携帯装置（１０）が前記オーディオファイルを再生する都度、前記現在のポインタによって識別される開始位置から前記オーディオファイルを再生する再生ステップと、
を有し、
前記選択ステップは、
前記携帯装置（１０）が前記オーディオファイルを再生する都度、１つのポインタをランダムに選択するステップと、
前記携帯装置（１０）が前記オーディオファイルを再生する都度、ユーザ指定の順序に基づいて、異なるポインタを現在のポインタとして選択するステップと、
現在の携帯装置動作モードに基づいて、前記ポインタのセットから現在のポインタを選択するステップと、
のいずれか１つを有する
ことを特徴とする方法。
【請求項２】
前記ユーザ指定の順序に従って前記ポインタのセットのうちの１つ以上のポインタを組織するステップを更に有することを特徴とする請求項１に記載の方法。
【請求項３】
前記ポインタのセットの各ポインタは携帯装置動作モードに対応していることを特徴とする請求項１に記載の方法。
【請求項４】
前記携帯装置動作モードは、電話モード、電子メールモード、音声メールモード、アラームモード、文字メッセージモードのうちの１つであることを特徴とする請求項３に記載の方法。
【請求項５】
ポインタ選択モードに入るステップと、
前記ポインタ識別モードの間に前記オーディオファイルの実体部分を再生するステップと、
前記ポインタ識別モードの間に前記オーディオファイルを再生中、ユーザ入力に従い１つ以上の時刻マーカを生成するステップと、
前記１つ以上の時刻マーカに基づいて前記ポインタのセットを生成するステップと、
を更に有することを特徴とする請求項１に記載の方法。
【請求項６】
ユーザ入力に応じて前記生成されたポインタのセットを編集するステップを更に有することを特徴とする請求項５に記載の方法。
【請求項７】
前記記憶ステップは、１つ以上のオーディオファイルのそれぞれに対する１つ以上のポインタのセットを記憶することを特徴とする請求項１に記載の方法。
【請求項８】
携帯装置（１０）であって、
オーディオファイルを記憶するメモリ（１６）と、
マルチメディアプロセッサ（２２）とを備え、
前記マルチメディアプロセッサ（２２）は、
前記オーディオファイルのユーザ指定の１つ以上の開始位置に対応する１つ以上のポインタのセットを記憶する手段と、
前記ポインタのセットから現在のポインタを選択する手段と、
を有するオーディオユーティリティ（２６）と、
前記携帯装置が前記オーディオファイルを再生する都度、前記記憶されたポインタのうちの１つのポインタによって識別される開始位置から前記オーディオファイルを再生するオーディオプロセッサ（２４）と、
を含み、
前記オーディオユーティリティ（２６）は、
前記ポインタのセットからの現在のポインタのランダムな選択と、
ユーザ指定の順序と、
前記携帯装置の現在の動作モードと、
のいずれか１つに基づいて、現在のポインタを選択する
ことを特徴とする携帯装置（１０）。
【請求項９】
前記オーディオユーティリティ（２６）は、ユーザ指定の順序に従って前記ポインタのセットにおける１つ以上のポインタを組織するように構成されていることを特徴とする請求項８に記載の携帯装置（１０）。
【請求項１０】
前記ポインタのセットの各ポインタは携帯装置動作モードに対応していることを特徴とする請求項８に記載の携帯装置（１０）。
【請求項１１】
前記携帯装置動作モードは、電話モード、電子メールモード、音声メールモード、アラームモード、文字メッセージモードのうちの１つであることを特徴とする請求項１０に記載の携帯装置（１０）。
【請求項１２】
前記オーディオプロセッサ（２４）は、ポインタ識別モードの間に、前記オーディオファイルの実体部分を再生し、
前記オーディオユーティリティ（２６）は、
前記ポインタ識別モードにおいて前記オーディオプロセッサ（２４）が前記オーディオファイルを再生中、ユーザ入力に応じて１つ以上の時刻マーカを生成し、
前記１つ以上の時刻マーカに基づいて前記ポインタのセットを生成する、
ことを特徴とする請求項８に記載の携帯装置（１０）。
【請求項１３】
前記オーディオユーティリティ（２６）は更に、ユーザ入力に応じて前記生成されたポインタのセットを編集することを特徴とする請求項１２に記載の携帯装置（１０）。
【請求項１４】
前記メモリ（１６）は複数のオーディオファイルを記憶し、前記オーディオユーティリティ（２６）は各オーディオファイルに対して１つ以上のポインタのセットを記憶することを特徴とする請求項８に記載の携帯装置（１０）。
【請求項１５】
前記携帯装置（１０）は無線通信装置（１０）であることを特徴とする請求項８に記載の携帯装置（１０）。
【国際調査報告】
2009514271.tif 000008
2009514271.tif 000009
2009514271.tif 000010